(57)【要約】  【課題】  固定された印字面と変更可能な印字面とを組み合わせた印影を見本により確認することができる印判を提供する。  【解決手段】  日付印１は、固定された固定印字面１１１と、操作部２２１の操作によって任意に選択可能な移動印字面２１１とを合成した印影を形成する。移動印字面２１１はベルト体２２０の外周面に複数設けられている。ベルト体２２０のその反対側の外周面には各移動印字面２１１の印影の見本２２２が印刷されており、保持体２３０の側面２３３に位置された移動印字面２１１の印影の見本が側面２３４に位置されるように、各移動印字面２１１と見本２２２とが対応付けられている。利用者は、印字面とは反対側の見本面２０６にて、固定印字面１１１の印影の見本２０７と、見本窓２０６ａを介して見た見本２２２とを、捺印結果のイメージとして見ることができる。【選択図】  図６
2005132068.tif 000002
【特許請求の範囲】
【請求項１】
本体ケースに、
移動可能に支持されるベルトの外面に沿って複数の印字面が突設された移動印字体と、
前記移動印字体の複数の印字面の一つを前記本体ケース外に露出するための露出孔と、
前記移動印字体の複数の印字面に対応する複数の印影の見本と、
前記露出孔から露出された印字面に対応する前記印影の見本が前記本体ケースの外部より目視可能となるように、前記露出孔が孔設された前記本体ケースの面とは異なる面に孔設された見本窓と
を備えたことを特徴とする印判。
【請求項２】
前記露出孔が孔設された前記本体ケースの面を構成し、前記露出孔より露出される前記移動印字体の印字面とともに、合成した印影を形成するための印字面を有する固定印字体と、
前記見本窓から視認可能な前記移動印字体の印字面の印影の見本と合成して目視可能な、前記固定印字体の印字面の印影の見本と
を備えたことを特徴とする請求項１に記載の印判。
【請求項３】
前記本体ケースは筒状に構成され、前記露出孔と前記見本窓とは、前記本体ケースの一端側の側面と他端側の側面とのそれぞれに設けられたことを特徴とする請求項１または２に記載の印判。
【請求項４】
前記本体ケースの他端側の側面を覆い、前記見本窓を保護する透明のカバーを備え、
前記固定印字体の印字面の印影の見本は、前記本体ケースと前記カバーとの間の位置に保持されることを特徴とする請求項３に記載の印判。
【請求項５】
前記固定印字体の印字面の印影の見本は、その端部に、位置決めを行うための位置決め片を備え、
前記本体ケースの他端側の側面は、前記位置決め片が係合する係合部を備えたことを特徴とする請求項４に記載の印判。
【請求項６】
前記固定印字体の印字面の印影の見本は、前記移動印字体の印字面の印影の見本を目視可能な目視孔を備え、
前記カバーは、前記目視孔と嵌合可能な嵌合片を備えたことを特徴とする請求項４に記載の印判。
【請求項７】
前記移動印字体の印字面の印影の見本は、前記移動印字体のベルトの外面であって印字面が突設されていない外面に印刷されていることを特徴とする請求項１乃至６のいずれかに記載の印判。
【請求項８】
前記前記移動印字体の印字面の印影の見本は、前記移動印字体のベルトの印字面が突設されていない外面に貼設される帯状のフィルム部材に印刷されていることを特徴とする請求項１乃至６のいずれかに記載の印判。
【請求項９】
前記移動印字体の印字面の印影の見本は、帯状のフィルム部材に印刷され、
前記フィルム部材には、前記移動印字体に対して位置決めを行うための位置決め孔が孔設され、
前記移動印字体の印字面が突設されていない外面には、前記フィルム部材の前記位置決め孔に嵌合する位置決め突起が突設されていることを特徴とする請求項１乃至６のいずれかに記載の印判。
【請求項１０】
前記固定印字体は、前記本体ケースに対して接離可能に設けられ、
前記移動印字体は、前記本体ケースに、前記見本窓との位置関係が不変となるように支持されていることを特徴とする請求項２乃至９のいずれかに記載の印判。
【請求項１１】
前記移動印字体の複数の印字面のうち任意の印字面を選択するため前記移動印字体を移動可能な移動手段と、
前記移動手段によって前記移動印字体が移動される場合に、個々の印字面が前記露出孔内から引き抜かれた位置にあるときに前記移動手段に負荷を与えて移動させにくくするための負荷付加手段と
を備えたことを特徴とする請求項１乃至１０のいずれかに記載の印判。
【発明の詳細な説明】
【技術分野】
【０００１】
本発明は、固定された印字面と変更可能な印字面とを組み合わせて一つの印影を形成することが可能な印判に関するものである。
【背景技術】
【０００２】
従来、書類等に捺印して日付の入ったデータ等の印影を形成する印判として、日付印等が利用されている。このような日付印では、例えば社名や部署名等の印影を形成するための固定された固定印字面と、日付などの印影を形成するための変更可能な非固定印字面とを組み合わせて一つの印影を形成することができる。
【０００３】
一般に、日付印では、非固定印字面は回転可能なベルトの上面に複数設けられており、日付印の日付の変更を行う際に利用者は、非固定印字面を見ながらベルトを回転させ、最適な非固定印字面の選択を行っている。このとき利用者は、左右が反転した非固定印字面を見ながら最適なものを選択する必要がある。また、使用後の非固定印字面はインク等が付着されており、印影の判別が行いにくい。
【０００４】
そこで、特許文献１では、日付印（データ印）の側面に拡大レンズを装着した窓（開口部）を設け、拡大レンズを透してベルト（無端印版帯）を見ることができる。ベルト上の２つの非固定印字面（印版）の間には非固定印字面の印影が印刷されており、窓からは、選択された（押印されるべき）非固定印字面の印影を確認することができるようにしている。
【特許文献１】特開平７−１８６５０２号公報
【発明の開示】
【発明が解決しようとする課題】
【０００５】
しかしながら、特許文献１では、その日付印によって捺印が行われた場合に、固定印字面と非固定印字面との組み合わせによりどのような印影が形成されるかは、実際に印字面を覗いてみるか、あるいは、試し捺印を行う必要があった。
【０００６】
本発明は上記課題を解決するためになされたものであり、固定された印字面と変更可能な印字面とを組み合わせた印影を見本により確認することができる印判を提供することを目的とする。
【課題を解決するための手段】
【０００７】
上記目的を達成するために、請求項１に係る発明の印判は、本体ケースに、移動可能に支持されるベルトの外面に沿って複数の印字面が突設された移動印字体と、前記移動印字体の複数の印字面の一つを前記本体ケース外に露出するための露出孔と、前記移動印字体の複数の印字面に対応する複数の印影の見本と、前記露出孔から露出された印字面に対応する前記印影の見本が前記本体ケースの外部より目視可能となるように、前記露出孔が孔設された前記本体ケースの面とは異なる面に孔設された見本窓とを備えている。
【０００８】
また、請求項２に係る発明の印判は、請求項１に記載の発明の構成に加え、前記露出孔が孔設された前記本体ケースの面を構成し、前記露出孔より露出される前記移動印字体の印字面とともに、合成した印影を形成するための印字面を有する固定印字体と、前記見本窓から視認可能な前記移動印字体の印字面の印影の見本と合成して目視可能な、前記固定印字体の印字面の印影の見本とを備えている。
【０００９】
また、請求項３に係る発明の印判は、請求項１または２に記載の発明の構成に加え、前記本体ケースは筒状に構成され、前記露出孔と前記見本窓とは、前記本体ケースの一端側の側面と他端側の側面とのそれぞれに設けられている。
【００１０】
また、請求項４に係る発明の印判は、請求項３に記載の発明の構成に加え、前記本体ケースの他端側の側面を覆い、前記見本窓を保護する透明のカバーを備え、前記固定印字体の印字面の印影の見本は、前記本体ケースと前記カバーとの間の位置に保持されることを特徴とする。
【００１１】
また、請求項５に係る発明の印判は、請求項４に記載の発明の構成に加え、前記固定印字体の印字面の印影の見本は、その端部に、位置決めを行うための位置決め片を備え、前記本体ケースの他端側の側面は、前記位置決め片が係合する係合部を備えている。
【００１２】
また、請求項６に係る発明の印判は、請求項４に記載の発明の構成に加え、前記固定印字体の印字面の印影の見本は、前記移動印字体の印字面の印影の見本を目視可能な目視孔を備え、前記カバーは、前記目視孔と嵌合可能な嵌合片を備えている。
【００１３】
また、請求項７に係る発明の印判は、請求項１乃至６のいずれかに記載の発明の構成に加え、前記移動印字体の印字面の印影の見本は、前記移動印字体のベルトの外面であって印字面が突設されていない外面に印刷されていることを特徴とする。
【００１４】
また、請求項８に係る発明の印判は、請求項１乃至６のいずれかに記載の発明の構成に加え、前記前記移動印字体の印字面の印影の見本は、前記移動印字体のベルトの印字面が突設されていない外面に貼設される帯状のフィルム部材に印刷されていることを特徴とする。
【００１５】
また、請求項９に係る発明の印判は、請求項１乃至６のいずれかに記載の発明の構成に加え、前記移動印字体の印字面の印影の見本は、帯状のフィルム部材に印刷され、前記フィルム部材には、前記移動印字体に対して位置決めを行うための位置決め孔が孔設され、前記移動印字体の印字面が突設されていない外面には、前記フィルム部材の前記位置決め孔に嵌合する位置決め突起が突設されていることを特徴とする。
【００１６】
また、請求項１０に係る発明の印判は、請求項２乃至９のいずれかに記載の発明の構成に加え、前記固定印字体は、前記本体ケースに対して接離可能に設けられ、前記移動印字体は、前記本体ケースに、前記見本窓との位置関係が不変となるように支持されていることを特徴とする。
【００１７】
また、請求項１１に係る発明の印判は、請求項１乃至１０のいずれかに記載の発明の構成に加え、前記移動印字体の複数の印字面のうち任意の印字面を選択するため前記移動印字体を移動可能な移動手段と、前記移動手段によって前記移動印字体が移動される場合に、個々の印字面が前記露出孔内から引き抜かれた位置にあるときに前記移動手段に負荷を与えて移動させにくくするための負荷付加手段とを備えている。
【発明の効果】
【００１８】
請求項１に係る発明の印判では、移動印字体の複数の印字面のいずれが露出孔から露出されているかを印影の見本を見て確認することができるので、試し捺印をせずとも目的とする印影を得るための設定をすることができる。
【００１９】
また、請求項２に係る発明の印判では、請求項１に係る発明の効果に加え、移動印字体の印字面の印影と、固定印字体の印字面の印影とを合成した印影の見本を見て捺印結果を確認することができるので、試し捺印しなくとも目的とする印影を得るための設定をすることができる。
【００２０】
また、請求項３に係る発明の印判では、請求項１または２に係る発明の効果に加え、下向きの捺印が行われたときに本体ケースの上面となる他端側の側面に見本窓が設けられているので、印影の確認をするために印字面をのぞき込まなくともよい。また、印字面は印影に対して鏡像となっているが、見本は印影の実像であるので、印影の確認を行いやすい。
【００２１】
また、請求項４に係る発明の印判では、請求項３に係る発明の効果に加え、印影の見本を確認するための見本窓を透明のカバーで保護することができるので、本体ケースの内部にほこり等が入り込むのを防止することができる。
【００２２】
また、請求項５に係る発明の印判では、請求項４に係る発明の効果に加え、固定印字体の印影の見本は不変であり、可変である移動印字体の印影の見本と合成した印影の見本が実際の捺印結果と異ならないように固定印字体の印影の見本を本体ケースに配置する際に、位置ずれが発生しにくい。
【００２３】
また、請求項６に係る発明の印判では、請求項４に係る発明の効果に加え、固定印字体の印影の見本は不変であり、可変である移動印字体の印影の見本と合成した印影の見本が実際の捺印結果と異ならないように固定印字体の印影の見本を透明のカバーに配置する際に、位置ずれが発生しにくい。
【００２４】
また、請求項７に係る発明の印判では、請求項１乃至６のいずれかに係る発明の効果に加え、移動印字体の任意の印字面を変更するためにベルトを移動させると、そのベルトに印刷された印影の見本もまた変更することができるため、印影の見本を変更するための構成を簡易にすることができる。
【００２５】
また、請求項８に係る発明の印判では、請求項１乃至６のいずれかに係る発明の効果に加え、移動印字体の任意の印字面を変更するためにベルトを移動させると、印影の見本もまた変更することができるが、その印影の見本をベルトに直接印刷する場合よりも容易に印刷できるフィルム部材に行うことで、生産工程の簡易化を図ることができる。
【００２６】
また、請求項９に係る発明の印判では、請求項１乃至６のいずれかに係る発明の効果に加え、移動印字体の任意の印字面を変更するためにベルトを移動させると、印影の見本もまた変更することができるが、その印影の見本のベルトへの位置決めを容易に行うことができ、生産工程の簡易化を図ることができる。
【００２７】
また、請求項１０に係る発明の印判では、請求項２乃至９のいずれかに係る発明の効果に加え、移動印字体の印字面を変更するときには移動印字体の印字面を露出孔から抜かなければ移動できないが、移動印字体と見本窓との位置関係が不変であるので本体ケースから固定印字体を遠ざければよく、印影の見本を見ながら移動印字体の印字面の変更を行うことができる。
【００２８】
また、請求項１１に係る発明の印判では、請求項１乃至１０のいずれかに係る発明の効果に加え、移動印字体の印字面の選択を行う際に、印字面が露出孔内から引き抜かれた位置にあるときに負荷が与えられるので、印字面が露出できない位置で移動印字体の移動が止められにくく、印字面の選択を容易に行うことができる。
【発明を実施するための最良の形態】
【００２９】
以下、本発明を具体化した印判の一実施の形態について、一例としての日付印１を用いて説明する。図１は、捺印可能な状態の日付印１を印字面側から見た斜視図である。図２は、図１の矢印方向Ｂで示す、日付印１をその後端部２０５側から見た斜視図である。図３は、移動印字面２１１の変更が可能な状態の日付印１を印字面側から見た斜視図である。図４は、日付印１の分解斜視図である。図５は、移動印字体２１０を保持した保持体２３０の斜視図である。図６は、図３に示す一点鎖線Ｃ−Ｃ’における矢視方向から見た、移動印字面２１１の変更が可能な状態の日付印１の断面図である。図７は、日付印１を後端部２０５側から見た要部分解斜視図である。図８は、図１に示す一点鎖線Ａ−Ａ’における矢視方向から見た、移動印字面２１１の捺印が可能な状態の日付印１の断面図である。
【００３０】
図１に示すように、日付印１は略円筒状の本体ケース２を有しており、本体ケース２の一方の筒端部２ａの口径は、胴回りよりやや大きく構成されている。その筒端部２ａには被捺印媒体に印影を形成するための印字面が設けられている。印字面は本体ケース２の軸方向に対して直交する面を有する略円形の印字面であり、印影が不変の固定印字面１１１と、数字や記号などを組み合わせて任意の日付等の印影を形成可能な移動印字面２１１との合成により、一つの印影を形成できるように構成されている。また、日付印１の非使用時に、固定印字面１１１と移動印字面２１１とを覆って保護するためのキャップ１０が、本体ケース２に対して筒端部２ａ側より着脱可能に設けられている。
【００３１】
図２に示すように、本体ケース２の筒端部２ａとは反対側の筒端部２ｄから、本体ケース２の内部に収容される支持ケース２０１（図４参照）に固定され、本体ケース２に対して相対的に回転可能な支持ケース２０１の後端部２０５が露出されている。日付印１の印字面とは反対側の底面にあたる見本面２０６には、この日付印１の印字面の印影の見本が形成されている。印影の見本のうち、移動印字面２１１の印影の見本に当たる部分は、移動印字面２１１を切り替えた際に連動して切り替えられるようになっている。
【００３２】
図３に示すように、本体ケース２を保持し、後端部２０５を本体ケース２に対して周方向に略１８０度回転させると、後端部２０５とともに支持ケース２０１が回転される。すると、本体ケース２の外周面に開口された開口部２ｂより、スライド式の操作部２２１が露出される。後述するが、この操作部２２１の操作によって、移動印字面２１１の組み合わせの切り替えが可能となっている。
【００３３】
図４に示すように、本体ケース２の内部には、移動印字面２１１を保持する移動印字部２００と、固定印字面１１１を保持した固定印字部１００とが収容される。固定印字部１００は、固定印字面１１１が形成された固定印字体１１２（図６参照）と、その固定印字体１１２に接触してインクを供給するインク貯蔵体１１３（図６参照）と、固定印字体１１２およびインク貯蔵体１１３を保持し、本体ケース２の筒端部２ａの内周に嵌合する基部１２０とから構成される。本体ケース２内に移動印字部２００を収容した状態で固定印字部１００によって筒端部２ａの開口を閉栓するため、基部１２０の外周には螺旋状の螺旋溝１２１が２本、溝設されている。この螺旋溝１２１には本体ケース２の筒端部２ａの内周より互いに向き合うように突設された２つのボス２ｃが係合されるようになっている。
【００３４】
また、固定印字部１００の固定印字面１１１の略中央には、固定印字面１１１の面と直交する方向に固定印字部１００を貫通する略長方形の露出孔１１４が孔設されている。露出孔１１４は、移動印字体２１０の移動印字面２１１を、本体ケース２から露出させるための孔である。基部１２０の側面で露出孔１１４の短手方向の両側には突起部１２２が設けられ、キャップ１０の内側に設けられた係合部（図示外）に係合されるようになっている。
【００３５】
さらに、固定印字部１００の基部１２０の内部からは、固定印字面１１１とは反対の方向に、２つの一対のガイド部材１２３がそれぞれ突設されている。一対のガイド部材１２３の間には、後述する移動印字部２００の保持体２３０の短手方向側面に突設されている２つのガイド片２３２が挟み込まれるようになっている。このため、固定印字部１００は移動印字部２００に対し、その軸方向にのみ摺動可能にその移動方向が規制される。
【００３６】
次に、移動印字部２００は、移動印字体２１０を保持した保持体２３０を円筒状の支持ケース２０１内にて支持している。図５，図６に示すように、移動印字体２１０は、略長板状の保持体２３０の長手方向に沿って、それぞれ個別に回転可能に並列させて支持した５本のベルト体２２０の外周面に固定されており、ベルト体２２０の回転とともにその位置が移動されるようになっている。移動印字体２１０は、ベルト体２２０の外周面において突設状に設けられ、その先端に移動印字面２１１を有する印字部２１２が、ベルト体２２０の回転方向に沿って複数列設されており、各印字部２１２の根元部分が連結部２１３によって連結された構造を有する。この移動印字体２１０の長さは、ベルト体２２０の半周以下となっている。この移動印字体２１０を構成する、移動印字面２１１を有する印字部２１２と連結部２１３とは、例えば多孔性樹脂などのインク含浸体からなり、一体に形成される。
【００３７】
また、ベルト体２２０の外周面には、各ベルト体２２０を個々に回転させる際に操作する操作部２２１が突設されており、保持体２３０の長手方向に沿って操作部２２１をスライド移動させることでベルト体２２０を回転させることができる。さらに、ベルト体２２０の外周面で、移動印字体２１０が固定された側と反対側の外周面には、各印字部２１２の移動印字面２１１にそれぞれ対応した印影の見本２２２が印刷されている。操作部２２１が操作されていずれかの印字部２１２が保持体２３０の長手方向の一方の側面２３３（図６における紙面下側の側面２３３）に位置されたとき、他方の側面２３４（図６における紙面上側の側面２３４）には、その移動印字面２１１に対応した印影の見本２２２が位置される。例えば、図５において、図中真ん中のベルト体２２０ａでは、選択された印字部２１２ａが側面２３３に位置されており、その印字面２１１ａによって形成される印影「１」の印字見本「１」（見本２２２ａのうち「１」が印刷された部分）が、側面２３４に位置される。同様に、図中左手側の端のベルト体２２０ｂでは、選択された印字部２１２ｂが側面２３３に位置されており、その印字面２１１ｂの印影「０」の印字見本「０」（見本２２２ｂのうち「０」が印刷された部分）が、側面２３４に位置されることとなる。
【００３８】
図６に示すように、支持ケース２０１の後端部２０５の見本面２０６は円形（図７参照）に凹部形成され、その底面２０６ｂには見本窓２０６ａが開口されている。この見本窓２０６ａを介して、見本２２２のうち保持体２３０の側面２３４に位置された部分が目視できるようになっている。見本窓２０６ａは、見本面２０６の凹部に係合する透明のカバー２０８で覆われ、日付印１の内部にほこり等が侵入することが防止されている。図７に示すように、透明のカバー２０８と見本面２０６の底面２０６ｂとの間には、固定印字面１１１（図１参照）の印影の見本２０７が挟持される。この印影の見本２０７は、固定印字面１１１と同じく円形に形成されており、その略中央には、見本窓２０６ａを塞がないようにするための開口２０７ａが設けられている。
【００３９】
次に、図６に示すように、ベルト体２２０の操作部２２１の背面には、その操作部２２１のスライド方向と直交する方向に出退可能に付勢された凸部２２３が突設されている。また、保持体２３０の内部には、その凸部２２３に係合してベルト体２２０の回転に負荷を与えることで位置決めする凹部２３１が、ベルト体２２０の回転方向に沿って印字部２１２の数だけ設けられている。この構成は、凸部２２３が凹部２３１に係合された状態では、その凹部２３１に対応した印字部２１２が、保持体２３０の側面２３３に位置されるように、ベルト体２２０の位置決めを行うためのものである。このようにして位置決めされる５本のベルト体２２０の各印字部２１２は、並列され、移動印字部２００が本体ケース２に納められ固定印字部１００によって閉蓋される場合に、その並列方向を露出孔１１４の長手方向に一致させるようにして、露出孔１１４に挿入される。このとき、図５に示す、移動印字部２００の保持体２３０の短手方向側面に突設されている２つのガイド片２３２が、図４に示す、固定印字部１００の基部１２０の内部から固定印字面１１１とは反対の方向に突設されている２つの一対のガイド部材１２３にそれぞれ挟み込まれることによって、印字部２１２の並列方向と、露出孔１１４の長手方向とが一致するようになっている。なお、操作部２２１が、本発明における「移動手段」に相当し、凸部２２３および凹部２３１が、本発明における「負荷付加手段」に相当する。
【００４０】
そして前述したように、図４に示す支持ケース２０１は、本体ケース２に収容されるため、本体ケース２の内周にあわせて円筒状に形成されており、その一側面には、軸方向に沿って４本の長細い溝状のガイド溝２０２が開口されている。保持体２３０を支持ケース２０１に収容した状態では、５本のベルト体２２０の各操作部２２１（図５参照）が、端の２本のベルト体２２０の操作部２２１については同じガイド溝２０２から、残る３本のベルト体２２０の操作部２２１についてはそれぞれ独立のガイド溝２０２から、支持ケース２０１の外方に突出されるようになっている。
【００４１】
このような構成の日付印１を組み立てる際には、まず、後端部２０５が分離された支持ケース２０１を本体ケース２の筒端部２ａ側より本体ケース２に挿入し、筒端部２ｄ側から後端部２０５を支持ケース２０１に係合させて固定させる（そのための係合部は図示しない。）。そして、筒端部２ａ側より固定印字部１００の一対のガイド部材１２３の間に保持体２３０の２つのガイド片２３２をそれぞれ挟み込ませつつ、本体ケース２のボス２ｃを固定印字部１００の螺旋溝１２１に係合させ、固定印字部１００の取り付けを行う。螺旋溝１２１には固定印字部１００が容易に外れたりすることがないようにするため、その始端近傍の底面に図示外のストッパが隆起されている。このストッパによってボス２ｃが規制される位置では、図３に示すように、４本のガイド溝２０２のすべてが開口部２ｂより露出され、図６に示すように、固定印字部１００の露出孔１１４より移動印字体２１０の選択されている移動印字面２１１が引き抜かれた状態となる。この状態で操作部２２１が操作すれば、任意の移動印字面２１１の選択を行うことができる。
【００４２】
次に、固定印字部１００を回転させながらボス２ｃを螺旋溝１２１に沿ってスライドさせる。このとき、ガイド片２３２がガイド部材１２３に挟まれているので、固定印字部１００が回転されれば支持ケース２０１も回転されることとなる。よってこの操作は、支持ケース２０１の後端部２０５を本体ケース２に対して回転させることで行うことができる。螺旋溝１２１にボス２ｃが案内されると、図１に示すように、固定印字部１００は本体ケース２に納められる方向に移動され、ボス２ｃが螺旋溝１２１の末端の位置に達することで、図８に示すように、本体ケース２に対して固定印字部１００が位置決めされる。
【００４３】
ところで、図８に示す、固定印字部１００は、円筒状の基部１２０によって固定印字体１１２およびインク貯蔵体１１３を保持しており、固定印字体１１２の固定印字面１１１が、表向きに露出されている。インク貯蔵体１１３は、例えば多孔性樹脂からなり、内部にインクを染み込ませることによってインクを貯蔵することができる。固定印字体１１２もまた多孔性樹脂からなり、光エネルギー吸収性物質が内部に分散されている。
【００４４】
固定印字面１１１は、図示しない、公知の製版装置によって形成される。印字面に形成する画像を製版装置、あるいは製版装置に接続したパーソナルコンピュータなどで作成し、その画像を透明なフィルム等に印刷する。固定印字体１１２を圧縮した状態に保持し、その画像が印刷されたフィルム等を介し、例えばキセノン管を発光させて固定印字面１１１に対して光の照射を行うと、フィルム等の印刷された部分では光を遮るため選択的な光の照射が行われる。すると、光が照射された固定印字面１１１の部分では、光エネルギー吸収性物質の発熱作用により溶融後、固化するので、その部分の孔が塞がれ、固定印字体１１２から固定印字面１１１にインクが滲み出ない。一方、光が照射されない部分では、孔は塞がれず、固定印字面１１１にインクを滲み出すことができる。このようにして作成される固定印字面１１１では、フィルム等に印刷した画像と同じ印影を形成することができる。さらに、製版装置では、フィルム等に画像を印刷する際に、あわせて、図７に示す見本２０７の印刷が行われる。見本２０７は、例えば定型の用紙などに印刷されても、あるいは任意の用紙に印刷されてもよく、定型の用紙に印刷される場合には、あらかじめその用紙に開口２０７ａを設けておいてもよい。
【００４５】
また、図８に示すように、インク貯蔵体１１３の固定印字体１１２に接触する面とは反対側の面には、インク貯蔵体１１３に接触した状態で、移動印字体２１０の印字部２１２に当接するインク伝達体１３０が設けられている。インク伝達体１３０は、例えばフェルト等の部材からなり、毛細管現象を利用して固定印字部１００のインク貯蔵体１１３に浸透したインクを、インク伝達体１３０に当接する移動印字体２１０の印字部２１２への伝達し、インクの供給を行う。インク伝達体１３０によってインク貯蔵体１１３より伝達されるインクは、全体がインク含浸体からなる移動印字体２１０の全体に拡散し、各印字部２１２に行き渡るようになっている。
【００４６】
ところで、支持ケース２０１の後端部２０５は本体ケース２の筒端部２ｄの内周より口径が大きく構成されており、支持ケース２０１が筒端部２ａ側へ移動することが規制されている。また、図４，図６，図８に示すツバ２０３によって、筒端部２ａと胴回りとの口径の差に基づき、支持ケース２０１の筒端部２ｄ側への移動が規制されている。このため、固定印字部１００の装着・脱着が行われても、本体ケース２の軸方向における本体ケース２に対する支持ケース２０１の位置は変わらない。すなわち、支持ケース２０１に支持された保持体２３０についても、固定印字部１００の装着・脱着にかかわらず、本体ケース２の軸方向における支持ケース２０１との位置関係、本体ケース２との位置関係が変わらない。
【００４７】
これにより、図８に示す、移動印字面２１１の選択のため固定印字部１００が回転され、図６に示すように、印字部２１２が露出孔１１４から抜かれた状態でも、見本窓２０６ａと保持体２３０の側面２３４とは距離が離れないので、移動印字面２１１（日付）の選択中、常に、見本２２２が見やすい距離に保たれる。この状態で利用者は、操作部２２１をスライドさせて移動印字面２１１の選択を行うが、見本面２０６を見るだけで試し捺印をせずとも捺印結果をイメージすることができる。また、移動印字面２１１の選択をするためには、従来は印字面をのぞき込み、鏡像となっている移動印字面２１１から希望するものを選択していたが、印字面をのぞき込まなくともよく移動印字面２１１の選択を容易に行うことができる。また、図２に示すように、見本２０７の大きさは、製版装置によって印刷された大きさ、すなわち、固定印字面１１１の大きさと同じであるため、見本２０７の開口２０７ａの大きさと露出孔１１４の開口の大きさとが同じとなる。このため、移動印字面２１１の選択の際に余分なものが見えず、捺印結果をさらにイメージしやすい。
【００４８】
以上説明したように、本実施の形態の日付印１は、日付印１の印字面とは反対側の底面にあたる見本面２０６に、この日付印１の印字面の印影の見本が形成されている。印影の見本のうち、移動印字面２１１の印影の見本に当たる部分は、移動印字面２１１を切り替えた際に連動して切り替えられるようになっている。利用者は、この見本面２０６を見ながら移動印字面２１１の選択を行うことができるので、捺印結果をイメージしながら移動印字面２１１（日付）の選択を行うことができる。また、固定印字面１１１の印影の見本に当たる見本２０７は製版装置による固定印字面１１１の形成時に同時に印刷されるので、固定印字面１１１の画像と、見本２０７の画像とを同時に作成できる。
【００４９】
なお、本発明は各種の変形が可能なことはいうまでもない。例えば、本実施の形態では、見本２０７を円形に形成したが、図９に示すように、端部に位置決め片２０７ｂを設けてもよい。この場合、凹部形成された見本面２０６にも、その位置決め片２０７ｂが係合する係合部２０６ｃを設けることで、見本２０７の位置決めを容易にし、日付印１の作成時の手間を軽減することができる。なお、係合部２０６ｃは新たに設けてもよいが、図９のように、透明のカバー２０８を見本面２０６に係合させる部分を利用してもよい。
【００５０】
また、図１０に示すように、透明のカバー２０８に、見本２０７の開口２０７ａの内周に沿って係合するように突起２０８ａを設けてもよい。このようにすれば、突起２０８ａによって見本２０７の位置ずれを防止することができる。また、突起２０８ａは、開口２０７ａの４つの角部にあわせて突起させて見本２０７の位置決めをしてもよいし、さらには対角の２つの角部にのみ設けてもよい。さらには、見本２０７の印刷面に接着剤を塗布し、上記構成にて位置合わせした透明のカバー２０８に貼り付けてもよい。なお、見本２０７の開口２０７ａが、本発明における「目視孔」に相当し、突起２０８ａが、本発明における「嵌合片」に相当する。
【００５１】
また、本実施の形態では、ベルト体２２０に見本２２２を印刷したが、図１１に示すように、印影の見本を印刷した、ベルト体２２０と略同幅帯状のフィルム部材２２４をベルト体２２０に貼設してもよい。このとき、フィルム部材２２４の両端に位置決め孔２２４ａを設け、ベルト体２２０の表面に、位置決め孔２２４ａが係合する位置決め突起２２５を設けることで、ベルト体２２０に対するフィルム部材２２４の位置決めを行うことが容易となる。フィルム部材２２４とベルト体２２０とは接着剤等で接着してもよいし、あるいは位置決め孔２２４ａに係合させた位置決め突起２２５を熱で溶かし、位置決め孔２２４ａが位置決め突起２２５から抜けないように加工してもよい。
【００５２】
また、製版装置で見本２０７を作成する際に、見本２０７の台紙はシール部材により形成してもよい。このようにすれば、日付印１の使用中に見本面２０６の底面２０６ｂと透明のカバー２０８との間に挟まれた見本２０７の位置ずれを防ぐことができる。
【００５３】
また、本実施の形態では、見本面２０６は本体ケース２の印字面とは反対側の底面に設けたが、本体ケース２の側面に設けてもよい。この場合、印字面から遠い筒端部２ｄの近傍に設けるとよい。印字面へのインクの浸透を考慮すると、日付印１の非使用時には、日付印１は印字面を下にした状態で使用待機されることが望ましいが、このとき見本面２０６の位置が日付印１の上方に位置されるため、利用者が印影の見本を確認しやすい。
【００５４】
また、本実施の形態では、日付印を例として説明したが、番号印、アドレス印などにも好適に実施することができる。
【産業上の利用可能性】
【００５５】
回転式やスライド移動式の日付印や番号印、アドレス印などに適用できる。
【図面の簡単な説明】
【００５６】
【図１】捺印可能な状態の日付印１を印字面側から見た斜視図である。
【図２】図１の矢印方向Ｂで示す、日付印１をその後端部２０５側から見た斜視図である。
【図３】移動印字面２１１の変更が可能な状態の日付印１を印字面側から見た斜視図である。
【図４】日付印１の分解斜視図である。
【図５】移動印字体２１０を保持した保持体２３０の斜視図である。
【図６】図３に示す一点鎖線Ｃ−Ｃ’における矢視方向から見た、移動印字面２１１の変更が可能な状態の日付印１の断面図である。
【図７】日付印１を後端部２０５側から見た要部分解斜視図である。
【図８】図１に示す一点鎖線Ａ−Ａ’における矢視方向から見た、移動印字面２１１の捺印が可能な状態の日付印１の断面図である。
【図９】日付印１を後端部２０５側から見た、日付印１の変形例を示す斜視図である。
【図１０】日付印１を後端部２０５側から見た、日付印１の変形例を示す斜視図である。
【図１１】日付印１の変形例を示す、移動印字体２１０を保持した保持体２３０の斜視図である。
【符号の説明】
【００５７】
１    日付印
２    本体ケース
１１２    固定印字体
１１４    露出孔
２０６ａ  見本窓
２０６ｃ  係合部
２０７    見本
２０７ａ  開口
２０７ｂ  位置決め片
２０８    カバー
２０８ａ  窓部
２１０    移動印字体
２２１    操作部
２２２    見本
２２３    凸部
２２４    フィルム部材
２２４ａ  位置決め孔
２２５    位置決め突起
２３１    凹部
【図１】
2005132068.tif 000003
【図２】
2005132068.tif 000004
【図３】
2005132068.tif 000005
【図４】
2005132068.tif 000006
【図５】
2005132068.tif 000007
【図６】
2005132068.tif 000008
【図７】
2005132068.tif 000009
【図８】
2005132068.tif 000010
【図９】
2005132068.tif 000011
【図１０】
2005132068.tif 000012
【図１１】
2005132068.tif 000013